(57)【要約】【課題】  電気光学パネルの基板と可撓性基板との電気的な接続が解除される事態を抑制することが可能な実装構造体、電気光学装置及び電子機器を提供する。【解決手段】  本発明に係る実装構造体は、電気光学パネル４０と電気的に接続された回路を有する回路基板６０と、回路基板６０に実装された第一のコネクタ６２と、一端側に第二のコネクタ７１が取り付けられた可撓性基板７０と、回路基板６０を収容する基板ケース８０と、を備えている。基板ケース８０は、第二のコネクタ７１の設置位置に対して、第一のコネクタ６２に対する第二のコネクタ７１の接合が解除される向きの所定位置に、挿通部９０を有している。そして、可撓性基板７０は、第二のコネクタ７１から挿通部９０を通して基板ケース８０の外面側に回り込み、挿通部９０で折り返されて基板ケース８０の外面に沿って配置され、他端側が基板ケース８０と重なる領域の外側に導出する。【選択図】図５
2010217577.tif 000002
【特許請求の範囲】
【請求項１】
電気光学パネルと、
前記電気光学パネルと電気的に接続された回路を有する回路基板と、
該回路基板に実装された第一のコネクタと、
一端側に第二のコネクタが取り付けられた可撓性基板と、
前記電気光学パネルを収容する筐体に固定され、前記回路基板を収容する基板ケースと、を備え、
前記第一のコネクタ及び前記第二のコネクタは、前記基板ケース内で互いに接合されることによって前記可撓性基板と前記回路とが電気的に接続され、
前記基板ケースは、前記第二のコネクタの設置位置に対して、前記第一のコネクタに対する前記第二のコネクタの接合が解除される向きの所定位置に、前記可撓性基板を挿通可能な挿通部を有し、
前記可撓性基板は、前記第二のコネクタから前記挿通部を通して前記基板ケースの外面側に回り込み、該挿通部で折り返されて前記基板ケースの外面に沿って配置され、他端側が前記基板ケースと重なる領域の外側に導出することを特徴とする実装構造体。
【請求項２】
前記可撓性基板の前記基板ケースの外面に沿う部分を前記基板ケースの外面に貼り付ける貼付手段を備えることを特徴とする請求項１に記載の実装構造体。
【請求項３】
前記貼付手段は、導電テープであることを特徴とする請求項２に記載の実装構造体。
【請求項４】
前記基板ケースは、前記可撓性基板が導出する向きを規制する規制面を有することを特徴とする請求項１乃至３のうちいずれか一項に記載の実装構造体。
【請求項５】
前記挿通部における前記可撓性基板が接触する部分に曲面が形成されていることを特徴とする請求項１乃至４のうちいずれか一項に記載の実装構造体。
【請求項６】
請求項１乃至５のうちいずれか一項に記載の実装構造体を備えることを特徴とする電気光学装置。
【請求項７】
請求項１乃至５のうちいずれか一項に記載の実装構造体を備えることを特徴とする電子機器。
【発明の詳細な説明】
【技術分野】
【０００１】
本発明は、実装構造体、電気光学装置及び電子機器に関する。
【背景技術】
【０００２】
従来、液晶表示装置等の電気光学装置と、該電気光学装置における表示を制御する制御装置とを備えた電子機器が知られている。そして、制御装置からの制御信号は、可撓性基板を介して、電気光学装置に電気的に接続された基板に対して入力される。
ここで、可撓性基板としては、例えば、ＦＰＣ基板（Ｆｌｅｘｉｂｌｅ  Ｐｒｉｎｔｅｄ  Ｃｉｒｃｕｉｔ）等が挙げられる。
このような可撓性基板と電気光学装置の基板とを電気的に接続する実装構造体として、例えば、電気光学パネルの基板に実装されたコネクタにおいて、該コネクタに挿入された可撓性基板をロックするロック部を設ける構成が知られている（特許文献１参照）。
【先行技術文献】
【特許文献】
【０００３】
【特許文献１】特開２００２−１２４３４７号公報
【発明の概要】
【発明が解決しようとする課題】
【０００４】
しかしながら、上記従来技術では、電気光学パネルの基板と可撓性基板との電気的接続が意図せず解除される場合がある。
例えば、カーナビゲーション装置等のインダッシュ型の電子機器では、電気光学パネルの展開あるいは収納動作時において、電気光学パネルの基板と可撓性基板との接続部に負荷がかかり、電気光学パネルの基板と可撓性基板との電気的な接続が意図せずに解除される場合がある。
本発明の課題は、電気光学パネルの基板と可撓性基板との電気的な接続が解除される事態を抑制することが可能な実装構造体、電気光学装置及び電子機器を提供することである。
【課題を解決するための手段】
【０００５】
上記目的を達成するために、第一の発明に係る実装構造体は、電気光学パネルと、電気光学パネルと電気的に接続された回路を有する回路基板と、回路基板に実装された第一のコネクタと、一端側に第二のコネクタが取り付けられた可撓性基板と、電気光学パネルを収容する筐体に固定され、回路基板を収容する基板ケースと、を備え、第一のコネクタ及び第二のコネクタは、基板ケース内で互いに接合されることによって可撓性基板と回路とが電気的に接続され、基板ケースは、第二のコネクタの設置位置に対して、第一のコネクタに対する第二のコネクタの接合が解除される向きの所定位置に、可撓性基板を挿通可能な挿通部を有し、可撓性基板は、第二のコネクタから挿通部を通して基板ケースの外面側に回り込み、挿通部で折り返されて基板ケースの外面に沿って配置され、他端側が基板ケースと重なる領域の外側に導出することを特徴とする。
【０００６】
第一の発明に係る実装構造体では、基板ケースが、第二のコネクタの設置位置に対して、第一のコネクタに対する第二のコネクタの接合が解除される向きの所定位置に、可撓性基板を挿通可能な挿通部を有している。そして、可撓性基板が、第二のコネクタから挿通部を通して基板ケースの外面側に回り込み、挿通部で折り返されて基板ケースの外面に沿って配置され、他端側が基板ケースと重なる領域の外側に導出する。
これにより、第一の発明に係る実装構造体では、可撓性基板が基板ケースから導出する向きが、第一のコネクタに対する第二のコネクタの接合が解除される向きに対して異なるものとなる。
【０００７】
したがって、第一の発明に係る実装構造体では、可撓性基板が基板ケースから導出する向きに引っ張られた場合でも、第一のコネクタと第二のコネクタとの接合が解除される事態を抑制することができる。
よって、第一の発明に係る実装構造体によれば、電気光学パネルの基板と可撓性基板との電気的な接続が解除される事態を抑制することが可能となる。
ここで、電気光学パネルとしては、例えば、後述する液晶表示パネル４０が該当する。回路としては、例えば、後述する駆動回路が該当する。回路基板としては、例えば、後述する張り出し回路基板６０が該当する。第一のコネクタとしては、例えば、後述する雌コネクタ６２が該当する。第二のコネクタとしては、例えば、後述する雄コネクタ７１が該当する。可撓性基板としては、例えば、後述するＦＰＣ基板７０が該当する。筐体としては、例えば、後述するフレーム５０が該当する。基板ケースとしては、例えば、後述する基板ケース８０が該当する。挿通部としては、例えば、後述する挿通部９０が該当する。
【０００８】
また、第二の発明に係る実装構造体は、可撓性基板を基板ケースの外面に貼り付ける貼付手段を備えることを特徴とする。
第二の発明に係る実装構造体では、可撓性基板の基板ケースの外面に沿って配置されている部分が基板ケースの外面に貼り付けられるため、可撓性基板が基板ケースから導出する向きに引っ張られた際、引っ張られることによる負荷が第二のコネクタに伝達することを抑制することができる。
したがって、第二の発明に係る実装構造体によれば、可撓性基板が基板ケースから導出する向きに引っ張られた場合でも、第一のコネクタと第二のコネクタとの接合が解除される事態をさらに抑制することができる。
【０００９】
ここで、貼付手段としては、例えば、後述する貼付手段８９が該当する。
また、第三の発明に係る実装構造体は、第二の発明に係る実装構造体において、貼付手段は、導電テープであることを特徴とする。
第三の発明に係る実装構造体では、可撓性基板の基板ケースの外面に沿って配置されている部分が導電テープにより保護される。
したがって、第三の発明に係る実装構造体によれば、可撓性基板が破損することを抑制することが可能となる。
また、第四の発明に係る実装構造体は、第一乃至第三のうちいずれか一の発明に係る実装構造体において、基板ケースは、可撓性基板が導出する向きを規制する規制面を有することを特徴とする。
【００１０】
第四の発明に係る実装構造体では、基板ケースの規制面が可撓性基板が導出する向きを所定の向きに規制する。
したがって、第四の発明に係る実装構造体によれば、可撓性基板を所定の向きに導出させることが可能となる。
ここで、規制面としては、後述する規制面８７ｂが該当する。
また、第五の発明に係る実装構造体は、第一乃至第四のうちいずれか一の発明に係る実装構造体において、挿通部における可撓性基板が接触する部分に曲面が形成されていることを特徴とする。
【００１１】
第五の発明に係る実装構造体では、可撓性基板が破損することを抑制することが可能となる。
ここで、曲面としては、例えば、後述する折り返し部８８ａが該当する。
また、第六の発明に係る電気光学装置は、第一乃至第五のうちいずれか一の発明に係る実装構造体を備えることを特徴とする。
第六の発明係る電気光学装置によれば、電気光学パネルの回路基板と可撓性基板との電気的な接続が解除される事態を抑制することが可能となる。
【００１２】
ここで、電気光学装置としては、例えば、後述する液晶表示装置２０が該当する。
さらに、第七の発明に係る電子機器は、第一乃至第五のうちいずれか一の発明に係る実装構造体を備えることを特徴とする。
第七の発明係る電子機器によれば、電気光学パネルの回路基板と可撓性基板との電気的な接続が解除される事態を抑制することが可能となる。
ここで、電子機器としては、例えば、後述する電子機器１が該当する。
【図面の簡単な説明】
【００１３】
【図１】本発明の実施の形態に係る電子機器の主要部であり、液晶表示装置が収納された状態を示す概略構成図である。
【図２】図１に示す電子機器において、液晶表示装置が突出された状態を示す図である。
【図３】図１に示す電子機器に備えられる液晶表示装置を示す概略構成図である。
【図４】図３に示す液晶表示装置の断面図である。
【図５】図４に示す液晶表示装置の部分拡大図である。
【発明を実施するための形態】
【００１４】
以下、本発明の実施の形態を図面を参照して説明する。
本実施の形態では、本発明に係る実装構造体を、液晶表示装置２０を車両のダッシュボード内に収納可能なインダッシュ型の電子機器１に適用した場合を例にして説明する。
（電子機器の構成）
まず、本発明の実施の形態に係る電子機器１の構成について説明する。
図１は、本発明の実施の形態に係る電子機器の主要部であり、液晶表示装置が収納された状態を示す概略構成図である。図２は、図１に示す電子機器において、液晶表示装置が突出された状態を示す図である。
【００１５】
図１及び図２に示す電子機器１は、制御装置１０と、液晶表示装置２０と、制御装置１０及び液晶表示装置２０を互いに接続するヒンジ部３０とを備えている。
制御装置１０は、車両のダッシュボード内に配設される。制御装置１０は、液晶表示装置２０における表示を制御するための制御信号を出力する。
液晶表示装置２０は、電子機器１が停止している際には、図１に示すように、車両のダッシュボード内に収納された状態となる。一方、液晶表示装置２０は、電子機器１が稼働している際には、図２に示すように、車両のダッシュボードから突出し、運転者が液晶表示装置２０における表示を視認可能な状態となる。
【００１６】
図３は、図１に示す電子機器に備えられる液晶表示装置を示す概略構成図である。図４は、図３に示す液晶表示装置の断面図である。図５は、図４に示す液晶表示装置の部分拡大図である。
図３及び図４に示すように、液晶表示装置２０は、液晶表示パネル４０と、バックライトユニット４５と、液晶表示パネル４０及びバックライトユニット４５を収容するフレーム５０と、張り出し回路基板６０と、ＦＰＣ基板７０と、基板ケース８０とを備えている。
【００１７】
液晶表示パネル４０は、ガラス等からなる一対の基板の間に液晶を封入して構成される。また、一対の基板では、一方の基板の内面上に画素電極等が形成され、他方の基板の内面上に共通電極、カラーフィルタ等が形成されている。
バックライトユニット４５は、反射シート、導光板、散乱板、プリズムシート等を有している。そして、バックライトユニット４５は、液晶表示パネル４０の裏面に対して光を照射する。
【００１８】
張り出し回路基板６０は、液晶表示パネル４０を駆動するための駆動回路と、バックライトユニット４５の光源に電力を供給し、所定の制御信号に基づいて光源の点灯の有無及びその輝度等を制御する光源制御回路とを有している。駆動回路は、ＦＰＣ基板６１を介して液晶表示パネル４０に電気的に接続されている。また、光源制御回路は、ＦＰＣ基板６１を介してバックライトユニット４５に電気的に接続されている。ここで、駆動回路は、走査線駆動回路、データ線駆動回路等を含んでいる。そして、駆動回路は、制御装置１０が出力した制御信号に応じて、液晶表示パネル４０に対して走査線制御信号、データ線制御信号等を出力する。
【００１９】
また、図４及び図５に示すように、張り出し回路基板６０には、雌コネクタ６２が実装されている。雌コネクタ６２は、駆動回路及び光源制御回路のそれぞれと電気的に接続する接続端子（図示せず）と、該接続端子を収容する絶縁性のハウジング６２ａとを有している。
ここで、雌コネクタ６２は、張り出し回路基板６０が基板ケース８０に収容された状態で、雌コネクタ６２と後述する雄コネクタ７１との接合方向が、基板ケース８０の前後方向（図５に示す左下右上方向）となるように張り出し回路基板６０に実装されている。そして、雌コネクタ６２に対する後側（フレーム５０側）の向きが、雌コネクタ６２に対する雄コネクタ７１の接合が解除される向きとなる。また、雌コネクタ６２に対する前側（ＦＰＣ基板７０の導出側）の向きが、雌コネクタ６２に対する雄コネクタ７１の接合が行われる向きとなる。
【００２０】
ＦＰＣ基板７０の一端側には、雄コネクタ７１が取り付けられている。ＦＰＣ基板７０の他端側は、制御装置１０に電気的に接続されている。雄コネクタ７１は、ＦＰＣ基板７０と電気的に接続する接続端子（図示せず）と、該接続端子を収容する絶縁性のハウジング７１ａとを有している。
そして、電子機器１では、張り出し回路基板６０に実装された雌コネクタ６２及びＦＰＣ基板７０に取り付けられた雄コネクタ７１が互いに接合されることによって、ＦＰＣ基板７０を介して、制御装置１０と張り出し回路基板６０の駆動回路及び光源制御回路のそれぞれとが電気的に接続される。
【００２１】
基板ケース８０は、フレーム５０に固定されている。図４に示すように、基板ケース８０は、液晶表示パネル４０の裏面側に向かって傾斜するようにフレーム５０に固定されている。基板ケース８０は、張り出し回路基板６０を固定するベース部材８１と、ベース部材８１に固定された張り出し回路基板６０を覆うカバー部材８５とを備えている。カバー部材８５は、ベース部材８１に対して着脱可能に構成されている。基板ケース８０は、張り出し回路基板６０に形成された駆動回路を静電気あるいはノイズから遮蔽するために、導電性の部材からなることが好ましく、例えば、金属であることがより好ましい。金属であれば、張り出し回路基板６０を外部からの応力による破壊を防止することも可能である。
【００２２】
図５に示すように、ベース部材８１は、張り出し回路基板６０が固定される底板８１ａと、底板８１ａの左右方向（図３に示す左右方向）の両端部のそれぞれから延びる側板８１ｂとを有している。
図３及び図５に示すように、カバー部材８５は、本体部８６と、本体部８６の前端から前側に向かって延びる前板部８７と、本体部８６の後端から後側に向かって延びる後板部８８とを有している。
図３に示すように、本体部８６は、天板８６ａと、天板８６ａの左右方向の両端部のそれぞれから延びる側板８６ｂとを有している。カバー部材８５は、各側板８６ｂが各側板８１ｂに固定されることにより、ベース部材８１に対して固定される。
【００２３】
前板部８７は、ベース部材８１に固定された張り出し回路基板６０の前側（ＦＰＣ基板７０の導出側）を覆う。前板部８７は、本体部８６により片持梁状に支持され、板ばね状に形成されている。図５に示すように、前板部８７の前端部は、内側に向かって折り返され、折り返し部８７ａが形成されている。また、前板部８７の表面は、ＦＰＣ基板７０が導出する向きを規制する規制面８７ｂが形成されている。そして、前板部８７は、規制面８７ｂに沿って導出するＦＰＣ基板７０が所定の向きに導出するように、本体部８６に対する角度が調整されている。
【００２４】
後板部８８は、ベース部材８１に固定された張り出し回路基板６０の後側（フレーム５０側）を覆う。後板部８８は、本体部８６により片持梁状に支持され、板ばね状に形成されている。また、図５に示すように、後板部８８の後端部は、内側に向かって折り返され、折り返し部８８ａが形成されている。
ここで、カバー部材８５は、張り出し回路基板６０に実装された雌コネクタ６２に雄コネクタ７１が接合した状態で、雄コネクタ７１の設置位置に対して、雌コネクタ６２に対する雄コネクタ７１の接合が解除される向きの所定位置に、ＦＰＣ基板７０を挿通可能な挿通部９０を有している。そして、図５に示すように、本実施の形態では、挿通部９０は、後板部８８の後端部に設けられている。
【００２５】
また、図３乃至図５に示すように、基板ケース８０のカバー部材８５には、ＦＰＣ基板７０をカバー部材８５の外面に貼り付ける貼付手段８９が配設されている。貼付手段８９としては、テープ、接着剤等を用いることができる。本実施の形態では、貼付手段８９として、導電テープを用いている。基板ケース８０と同様に、カバー部材８５の外面に貼り付けられたＦＰＣ基板７０を静電気あるいはノイズから遮蔽するために、導電性の部材からなることが好ましいからである。
【００２６】
（本発明に係る実装構造体を構成する手順）
次に、本発明に係る実装構造体を構成する手順について説明する。
なお、基板ケース８０のベース部材８１は、予め、フレーム５０に固定されているものとする。また、張り出し回路基板６０の駆動回路及び光源制御回路は、予め、ＦＰＣ基板６１を介して、液晶表示パネル４０に電気的に接続されているものとする。
本発明に係る実装構造体を構成する際には、まず、張り出し回路基板６０を基板ベース部材８１の底板８１ａに固定する。この際、張り出し回路基板６０は、ベース部材８１の両側板８１ｂにより、位置決めがなされる。ここで、張り出し回路基板６０は、接着剤、両面テープ等により底板８１ａに固定する。
張り出し回路基板６０がベース部材８１に固定された状態では、雌コネクタ６２の後側（フレーム５０側）の向きが、雌コネクタ６２に対する雄コネクタ７１の接合が解除される向きとなる。
【００２７】
次に、張り出し回路基板６０に実装された雌コネクタ６２にＦＰＣ基板７０に取り付けられた雄コネクタ７１を接合して、張り出し回路基板６０とＦＰＣ基板７０とを電気的に接続する。
そして、図２乃至４に示すように、張り出し回路基板６０が固定されたベース部材８１に、カバー部材８５を取り付ける。この際、雄コネクタ７１から導出するＦＰＣ基板７０を、カバー部材８５の挿通部９０を通してカバー部材８５の外面側に回り込ませる。そして、カバー部材８５の外面側に回り込ませたＦＰＣ基板７０を、挿通部９０で折り返してカバー部材８５の外面に沿って配置して、ＦＰＣ基板７０の他端側を、カバー部材８５と重なる領域の外側に導出させる。ＦＰＣ基板７０は、カバー部材８５の外面に沿って、挿通部９０から雌コネクタ６２側に向かって導出される。
【００２８】
すなわち、雌コネクタ６２及び雄コネクタ７１は、基板ケース８０内で互いに接合される。そして、ＦＰＣ基板７０は、雄コネクタ７１から雌コネクタ６２に対する雄コネクタ７１の接合が解除される向きに延びた後、カバー部材８５の挿通部９０で、カバー部材８５の外面側に回り込むとともに、雌コネクタ６２側に向かって折り返される。そして、カバー部材８５の外面側に回り込んだＦＰＣ基板７０は、カバー部材８５の外面に沿って配置され、他端側がカバー部材８５と重なる領域の外側に導出される。
【００２９】
さらに、貼付手段８９によって、ＦＰＣ基板７０のカバー部材８５の外面に沿って配置されている部分を、カバー部材８５の外面に貼り付ける。この際、カバー部材８５の外面側に回り込んだＦＰＣ基板７０は、カバー部材８５において、後板部８８の挿通部９０から前板部８７の前端部までの範囲に貼り付けられる。したがって、ＦＰＣ基板７０は、カバー部材８５の前板部８７の規制面８７ｂに沿って導出される。
これにより、張り出し回路基板６０が基板ケース８０に収容され、ＦＰＣ基板７０がカバー部材８５の前板部８７の前端部から導出した状態となる。
【００３０】
（本発明に係る実装構造体の作用及び効果）
本発明に係る実装構造体では、ＦＰＣ基板７０が、雄コネクタ７１から雌コネクタ６２に対する雄コネクタ７１の接合が解除される向きに延びた後、カバー部材８５の挿通部９０で、カバー部材８５の外面側に回り込むとともに、雌コネクタ６２側に向かって折り返される。そして、カバー部材８５の外面側に回り込んだＦＰＣ基板７０は、カバー部材８５の外面に沿って配置され、他端側がカバー部材８５と重なる領域の外側に導出される。これにより、ＦＰＣ基板７０が基板ケース８０から導出する向きが、雌コネクタ６２に対する雄コネクタ７１の接合が解除される向きに対して異なるものとなる。
【００３１】
したがって、本発明に係る実装構造体では、ＦＰＣ基板７０が基板ケース８０から導出する向きに引っ張られた場合でも、雌コネクタ６２と雄コネクタ７１との接合が解除される事態を抑制することができる。
よって、本発明に係る実装構造体によれば、張り出し回路基板６０とＦＰＣ基板７０との電気的な接続が解除される事態を抑制することが可能となる。
【００３２】
特に、本発明に係る実装構造体では、カバー部材８５において、前板部８７及び後板部８８のそれぞれが、本体部８６により片持梁状に支持され、板ばね状に形成されている。これにより、ＦＰＣ基板７０が基板ケース８０から導出する向きに引っ張られた際、前板部８７及び後板部８８が、引っ張られることによる負荷を吸収する。したがって、ＦＰＣ基板７０が基板ケース８０から導出する向きに引っ張られた場合でも、雌コネクタ６２と雄コネクタ７１との接合が解除される事態をさらに抑制することができる。
【００３３】
また、本発明に係る実装構造体では、カバー部材８５の外面側に回り込んだＦＰＣ基板７０が、貼付手段８９によって、カバー部材８５の外面に貼り付けられる。これにより、ＦＰＣ基板７０が基板ケース８０から導出する向きに引っ張られた際、引っ張られることによる負荷が雄コネクタ７１に伝達することを抑制することができる。したがって、ＦＰＣ基板７０が基板ケース８０から導出する向きに引っ張られた場合でも、雌コネクタ６２と雄コネクタ７１との接合が解除される事態をさらに抑制することができる。
【００３４】
また、本発明に係る実装構造体では、ＦＰＣ基板７０は、カバー部材８５の前板部８７の規制面８７ｂに沿って導出する。したがって、カバー部材８５の規制面８７ｂがＦＰＣ基板７０が導出する向きを規制するため、ＦＰＣ基板７０を所定の向きに導出させることが可能となる。
また、本発明に係る実装構造体では、ＦＰＣ基板７０のカバー部材８６の外面に沿って配置されている部分が、導電テープからなる貼付手段８９によって、カバー部材８５の外面に貼り付けられる。したがって、ＦＰＣ基板７０のカバー部材８６の外面に沿って配置されている部分が導電テープにより保護されるため、ＦＰＣ基板７０が破損することを抑制することが可能となる。
【００３５】
さらに、本発明に係る実装構造体では、カバー部材８５の前板部８７の前端部に、折り返し部８７ａが形成されている。すなわち、前板部８７におけるＦＰＣ基板７０が接触する部分に曲面が形成されている。また、カバー部材８５の後板部８８の後端部に、折り返し部８８ａが形成されている。すなわち、挿通部９０におけるＦＰＣ基板７０が接触する部分に曲面が形成されている。これにより、ＦＰＣ基板７０が破損することを抑制することが可能となる。
【００３６】
（変形例）
本発明は上記実施の形態に限定されるものではなく、本発明の目的を達成できる範囲での変形、改良等は本発明に含まれるものである。
例えば、上記実施の形態では、挿通部９０が、後板部８８の後端部に設けられている。しかしながら、基板ケース８０において挿通部９０を設ける位置は、雄コネクタ７１の設置位置に対して、雌コネクタ６２に対する雄コネクタ７１の接合が解除される向きの所定位置であれば、適宜変更することが可能である。例えば、挿通部９０は、基板ケース８０のカバー部材８５の本体部８６に設けても構わない。また、挿通部９０は、基板ケース８０のベース部材８１に設けても構わない。
【００３７】
また、上記実施の形態では、貼付手段８９によって、ＦＰＣ基板７０のカバー部材８５の外面に沿って配置されている部分を、カバー部材８５の外面に貼り付けている。しかしながら、必ずしも、貼付け手段８９を設ける必要はない。
さらに、上記実施の形態では、可撓性基板としてＦＰＣ基板７０を適用している。しかしながら、可撓性基板としては、可撓性を有するものであれば、他の基板、配線等を適用しても構わない。
なお、本発明に係る電子機器としては、カーナビゲーション装置、携帯電話機、液晶テレビ、電子手帳、電卓、ＰＯＳ端末機、ノートパソコン等を適用することができる。
また、電子機器に備えられる電気光学パネルとしては、液晶表示パネルの他、有機エレクトロルミネッセンス表示パネル等を適用することができる。
【符号の説明】
【００３８】
１  電子機器、２０  液晶表示装置（電気光学装置）４０  液晶表示パネル（電気光学パネル）、５０  フレーム（筐体）、６０  張り出し回路基板（回路基板）、６２  雌コネクタ（第一のコネクタ）、７０  ＦＰＣ基板（可撓性基板）、７１  雄コネクタ（第二のコネクタ）、８０  基板ケース、９０  挿通部、８７ｂ  規制面、８８ａ  折り返し部、８９  貼付手段。
【図１】
2010217577.tif 000003
【図２】
2010217577.tif 000004
【図３】
2010217577.tif 000005
【図４】
2010217577.tif 000006
【図５】
2010217577.tif 000007